(57)【特許請求の範囲】
【請求項１】
ボディの底面に取着される固定片及びこの固定片の両側から前記ボディの上側に延出する一対の側片を有したフレームと、このフレームの両側片に回動自在に支持されるハンドルと、前記フレームの側片間に配設するとともに前記ハンドルにリンクを介して略中央部を連結し、前記ハンドルの回動操作により駆動される作動板と、前記フレームに回動自在に支持され、前記作動板の一端側を係止する方向の力を蓄積した状態で前記作動板の一端側を係止する前記引外し板と、前記作動板の一端側が前記引外し板に係止されている状態で前記ハンドルを回動操作したときに前記作動板の他端側に押圧される駆動体と、前記フレームの両側に配設され、駆動体に押圧されて開極する接点部と、引外し板の一部に対向配置されて前記接点部に過電流が流れたときに前記引外し板を回動駆動して前記作動板との係止状態を解除し、前記接点部を強制開極するバイメタルと、を備えた回路遮断器において、前記ハンドルに、前記フレームの両側片間で前記ボディの底面方向に延出して前記リンクの一端側が枢着される脚片を形成し、前記作動板の中央部に、前記リンクの他端側を枢着して前記接点部の開極時に前記リンクの他端側とともに前記ハンドルの脚片が入り込む開口を形成し、前記バイメタル及び前記引外し板の一部を、前記フレームの側片よりも外側で前記ボディの底面に対して傾斜させて配設したことを特徴とする回路遮断器。
【請求項２】
前記引外し板は、その中央部を前記フレームの一対の側片の外側に配置して該一対の側片にピンを介して回動自在に枢支され、この中央部から一方側に前記作動板を係止させるとともに中央部から他方側の少なくとも一部を前記バイメタルに対して平行に配置させて成ることを特徴とする請求項１記載の回路遮断器。
【請求項３】
前記ハンドルを前記ハンドルピンを介して前記フレームの一対の側片間に枢支し、前記引外し板の一方側に作動板の一端側を係止するとともに前記引外し板の枢支点よりも他方側を前記ハンドルピンに当接させて前記引外し板の回転を規制して成ることを特徴とする請求項２記載の回路遮断器。
【請求項４】
前記バイメタルを前記引外し板よりも上側に配置し、前記バイメタルを下側に変位させるようにしたことを特徴とする請求項１乃至３の何れかに記載の回路遮断器。
【発明の詳細な説明】
【０００１】
【発明の属する技術分野】
本発明は、ハンドルのオンオフ操作により駆動体を押圧して接点を開閉駆動する回路遮断器に関するものである。
【０００２】
【従来の技術】
この種の回路遮断器としては特公昭６１−４５３３７号公報に示されているような回路遮断器が従来からある。
【０００３】
この従来例では図１８に示すようにボディ１００上に配設され、開閉機構部を支持するフレーム１０１は対向する側片間にハンドル１０２を装着している構造となっている。
【０００４】
【発明が解決しようとする課題】
しかしながら上記従来例の回路遮断器ではハンドル１０２の下側に作動子１０３を配設するとともに、バイメタル１０４が上下方向に延出している関係上、コンパクト化が図れないという問題あった。
【０００５】
本発明は、かかる事由に鑑みて成されたものであり、 その目的とするところは、コンパクト化が図れる回路遮断器を提供することにある。
【０００６】
【課題を解決するための手段】
上記目的を達成するために、請求項１の発明では、ボディの底面に取着される固定片及びこの固定片の両側から前記ボディの上側に延出する一対の側片を有したフレームと、このフレームの両側片に回動自在に支持されるハンドルと、前記フレームの側片間に配設するとともに前記ハンドルにリンクを介して略中央部を連結し、前記ハンドルの回動操作により駆動される作動板と、前記フレームに回動自在に支持され、前記作動板の一端側を係止する方向の力を蓄積した状態で前記作動板の一端側を係止する前記引外し板と、前記作動板の一端側が前記引外し板に係止されている状態で前記ハンドルを回動操作したときに前記作動板の他端側に押圧される駆動体と、前記フレームの両側に配設され、駆動体に押圧されて開極する接点部と、引外し板の一部に対向配置されて前記接点部に過電流が流れたときに前記引外し板を回動駆動して前記作動板との係止状態を解除し、前記接点部を強制開極するバイメタルと、を備えた回路遮断器において、前記ハンドルに、前記フレームの両側片間で前記ボディの底面方向に延出して前記リンクの一端側が枢着される脚片を形成し、前記作動板の中央部に、前記リンクの他端側を枢着して前記接点部の開極時に前記リンクの他端側とともに前記ハンドルの脚片が入り込む開口を形成し、前記バイメタル及び前記引外し板の一部を、前記フレームの側片よりも外側で前記ボディの底面に対して傾斜させて配設したものである。
【０００７】
請求項２の発明では、請求項１の発明において、前記引外し板は、その中央部を前記フレームの一対の側片の外側に配置して該一対の側片にピンを介して回動自在に枢支し、この中央部から一方側に前記作動板を係止するとともに中央部から他方側の少なくとも一部を前記バイメタルに対して平行に配置したものである。
【０００８】
請求項３の発明では、請求項２の発明において、前記ハンドルを前記ハンドルピンを介して前記フレームの一対の側片間に枢支し、前記引外し板の一方側に作動板の一端側を係止するとともに前記引外し板の枢支点よりも他方側を前記ハンドルピンに当接させて前記引外し板の回転を規制したものである。
【００１２】
請求項４の発明では、請求項１乃至３の何れかの発明において、前記バイメタルを前記引外し板よりも上側に配置し、前記バイメタルを下側に変位させるようにしたものである。
【００１３】
【発明の実施の形態】
以下本発明を一実施形態を図１乃至図１７により説明する。
【００１４】
本実施形態は漏電遮断器を構成する回路遮断器であって、その器体はボディ１とカバー１６とで構成され、ボディ１の両端両側には両端において対となる端子装置１７ａ，１７ｂ、１８ａ，１８ｂが配設される端子配設部１９ａ，１９ｂ、２０ａ，２０ｂを設けてある。
【００１５】
負荷側端子装置１７ａ，１７ｂは金属板を打ち抜き曲げ加工したもので、差込形の端子２７と、この端子２７の上端よりＬ状の連結片を介して一体形成された固定接点板２１とからなり、端子２７を端子配設部１９ａ，１９ｂの底部に設けた各挿通孔２３に圧入してその先部をボディ１の外底部に設けた凹部２２内へ露出させ、固定接点板２１をボディ１の中央部に設けたフレーム収納部３５の一端部近傍のボディ１底部（後述する凹所２６の天井壁）上へ配置している。各固定接点板２１は先端方向に下り傾斜するように形成され、その表面に固定接点２４をかしめ固定してある。この固定接点２４のかしめ部位の先端を逃げるための凹部６５をボディ１底部上に配置してある。また各固定接点板２１の先端は端子２７に平行するように折り曲げ、該折り曲げ部を凹所２６の天井壁に設けた孔より挿通して凹所２６内に臨ませ、その先部により後述するリード線接続端子部２１ａを構成している。
【００１６】
電源側端子装置１８ａ，１８ｂも金属板を打ち抜き曲げ加工したもので、差込形の端子２７と、この端子２７の上端に一体連設されたＬ状の端子板２８とからなり、端子２７を端子配設部２０ａ，２０ｂに設けた各挿通孔２３に圧入してその先部をボディ１の外底部に設けた凹部２２内に露出させている。ボディ１の外底部の両端の両側部に設けられる凹部２２，２２は隔壁２５により分離されている。
【００１７】
ボディ１は略中央の外底部に上述の凹所２６を設け、該凹所２６の天井壁を、フレーム収納部３５の底部及びその周囲の底部とし、これら底部の高さ位置を上記の各端子配設部１９ａ，１９ｂ及び端子配設部２０ａ，２０ｂの高さ位置と同じとしている。そして端子配設部２０ａ、２０ｂと、フレーム収納部３５を設けたボディ１の中央部との間にはプリント基板収納凹部５８を設けてあり、このプリント基板収納凹部５８には零相変流器ＺＣＴや後述する漏電検出回路８６等の電子部品５９を実装したプリント基板６１を底部に対して垂立させるように収納配置する。プリント基板収納凹部５８と、端子配設部２０ａ，２０ｂとの境界部には端子配設部２０ａ，２０ｂの高さ位置よりも高く形成した隔壁６２を設けてあり、この隔壁６２によりプリント基板６１の電子部品実装部と、端子装置１８ａ、１８ｂとの絶縁を図っている。そしてこの隔壁６２の先端よりも高い位置に零相変流器ＺＣＴの貫通孔６３が位置するように零相変流器ＺＣＴがプリント基板６１に実装され、零相変流器ＣＴの２次出力と漏電検出回路８６とを接続する回路がプリント基板６１により構成されている。そしてプリント基板６１から導出される漏電検出回路８６の電源用のリード線８７，８８は上記の固定接点板２１のリード線接続端子部２１ａに接続される。
【００１８】
上記端子装置１９ａ，１９ｂの端子２８，２８には、フレーム収納部３５の両側に配設される各バイメタル１０の中間部に一端が溶着され、零相変流器ＺＣＴの貫通孔６３及びプリント基板６１に穿設した孔６４に挿通された編組線３４，３４の他端が溶着される。
【００１９】
各バイメタル１０は、バイメタル１０と同様にフレーム収納部３５の両側に配設される可動ばね板３０の一端上に一端を重ね、固定ねじ３１をバイメタル１０の一端の孔１０ａと可動ばね板３０の一端の孔３０ａとを介して凹所２６の天井壁に設けた挿通孔２９に貫挿させ、該挿通孔２９の一端が臨む凹所２６の天井壁に形成した凹部７６に収納してあるナット３２に螺合締結することによりボディ１に可動ばね板３０とともに固定される。そしてバイメタル１０は固定部位より略逆Ｌ字状に折り曲げられて図１において上方に向け傾斜している。
【００２０】
可動ばね板３０は中間部より上向き斜めに折り曲げられ、その自由端には上記固定接点２４、２４と接触開離する可動接点１２，１２を下向きに夫々かしめ固定してある。
【００２１】
さてボディ１上の中央部に設けられたフレーム収納部３５は、囲繞壁６６に囲まれた空間により構成され、漏電遮断器の開閉機構部を支持するフレーム４を収納する。
【００２２】
フレーム４はフレーム収納部３５内の底面に載置され、ボディ１の外側の凹所２６側より貫通させた固定ねじ３８をねじ孔３９に螺合して固定される固定片２及び該固定片２の両側から上記ボディ１の上方に向けて延出する一対の側片３を有しており、両側片３，３の上端部にはハンドル５を回動自在に枢支するハンドルピン１４を受ける軸孔４０を、またこの軸孔４０よりやや下方の一片側に引外し板８を回動自在に枢支するピン１３を受ける軸孔３６を穿設し、また他片側にはリンク６及び作動板７に貫挿させる連結ピン４１の端部を図１において上下移動自在に挿入する長孔１５を穿設している。
【００２３】
また各側片３，３の端子装置１８ａ，１８ｂ側の下部の端面には先端が下向きに屈曲した引掛突起４３，４３を突設して、その下向き先端をフレーム収納部３５の底部に設けた引掛口４４に係止し、フレーム４をボディ１に強固に固定できるようにしてある。
【００２４】
リンク６は２枚のリンク片６ａ，６ａを並行させ、リンク片６ａ，６ａの中間部を連結片で連結したもので、図１においてリンク片６ａ，６ａの上端部をハンドル５の下部に設けた一対の脚片１１、１１間に介在させ、一方の脚片１１に設けたピン挿通孔３７に外側から挿入した連結ピン８９がリンク片６ａ，６ａの上端部に設けたピン挿通孔９０を介して他方の脚片１１に設けたピン挿通孔３７に内側から挿入されることにより、リンク６はハンドル５と連結するようになっている。そしてハンドル５の脚片１１とともにフレーム４の両側片３、３間に配置される。
【００２５】
ハンドル５は脚片１１の基部付近に設けたピン挿通孔９１とフレーム４の両側片３の軸孔４０とにハンドルピン１４を貫挿させて側片３，３間で回動自在に枢支される。
【００２６】
そしてハンドル５は、ハンドル５の下面に一端４５ａを当接し、他端４５ｂを後述するピン１３に当接係止して圧縮され、環部を上記ピン挿通孔９１を穿設してある筒部９１ａに嵌めたねじりばね４５により、開極（オフ）方向に常時付勢される。
【００２７】
リンク６の下端は、フレーム４の両側片３，３間に配置される作動板７に連結される。作動板７は中央部に、リンク６下端を収納するとともに接点部の開極時にリンク６の下端側とともにハンドル５の脚片１１が臨む開口７０を形成し、開口７０の両側片の中央に穿孔したピン挿入孔７１にリンク６のリンク片６ａ，６ａの下端に穿孔してあるピン挿入孔３３に貫挿させる連結ピン４１の両端部を挿入してリンク６を回動自在に枢支してある。そしてこの連結ピン４１の両端がフレーム４の長孔１５に上下移動自在に挿入されることにより、作動板７とリンク６の枢支点を上下移動自在としている。
【００２８】
作動板７の一端７ａを係止させる引外し板８は、枠状に形成されその中央部の開口部８ａにフレーム４を挟むように嵌めて、両側片３，３の外側に配設されるもので、両側枠片（一対の側片）の一端に穿設したピン挿入孔４２を介してフレーム４の両側片３，３の軸孔３６に挿通するピン１３により、フレーム４に回動自在に枢支され、一端枠片からなるラッチ片８ｂの中央部より垂下させた垂下片８ｄの係止段部８ｅに作動板７の一端７ａを係止させるとともに両側枠片の先部から延長して形成した各応動片８ｆを、可動ばね板３０とバイメタル１０との間に介在させてバイメタル１０の先部斜片に対して平行に配置させるもので、他端枠片からなる係合片８ｃの中央部には電磁石装置６０のプランジャー６７の細径部の先部に所定間隔をあけて設けた鍔状の駆動部６９ａと押圧部６９ｂとの間に係合する切欠よりなる係合部４６を設け、図１においてプランジャー６７の上向きの復帰力を受けて該係合片８ｃが係合部４６を通じて押し上げられ、ピン１３を中心としてラッチ片８ｂ側の係止段部８ｅに作動板７の一端７ａを係止させる方向に回動付勢されるようになっている。
【００２９】
そして引外し板８の応動片８ｆはバイメタル１０の先部斜片に平行し、バイメタル１０が熱によって撓み変形したときに下向きの力を受ける対向部を構成する。
【００３０】
上記作動板７の他端７ｂとボディ１の底面との間には駆動体９を上下動自在に配置しており、この駆動体９は両端部をフレーム収納部３５の両側壁の切欠溝６８を介してフレーム収納部３５外へ突出させてその両端部の下部に一体形成している係止凹部９ａ内に、フレーム収納部３５の両側に配置してある可動ばね板３０の自由端付近を入れて可動ばね板３０により上向きに付勢される。
【００３１】
また駆動体９の中央突出部９ｂは作動板７の他端７ｂの凹部７ｃに嵌合され、作動板７の押し下げ力を受けるようになっている。
【００３２】
漏電検出時に引外し板８を駆動する電磁石装置６０は、コイル枠８０と、コイル枠８０に巻装された励磁コイル８１と、コイル枠８０の両端面に両端片を配置したコ状のヨーク８２と、コイル枠８０の中心透孔の一端部に収納されヨーク８２の一端片と結合された固定鉄心８４と、コイル枠８０の中心透孔の他端開口からヨーク８２の他端片の切欠を介して細径部が外部に突出するとともに中心透孔内に太径部が移動自在に収納されたプランジャー６７と、プランジャー６７の他端と固定鉄心８４との間に収納されプランジャー６７を一端部方向に付勢する単一のコイルばね８３とで構成されるもので、フレーム収納部３５の囲繞壁の一端部と、これに対向するボディ１の側壁との間に形成された収納凹部９２に配置される。そしてコイル枠８０より外に突出したプランジャー６７の細径部の先端部に設けた大径の鍔状の駆動部６９ａと押圧部６９ｂとの間に上述のように引外し板８の係合片８ｃの係合部４６に係合させ、プランジャー６７がコイルばね８３の付勢力により図１において上方に押し上げられている非励磁時には下側の押圧部６９ｂで引外し板８の係合片８ｃを上方へ押し上げ、励磁によりプランジャー６７がコイル枠８０の中心透孔内に引き込まれた時には上側の駆動部６９ａで引外し板８の係合片８ｃを下方へ押し下げるようになっている。
【００３３】
励磁コイル８１は一端が、リード線７５を介してプリント基板６１上の漏電検出回路８６の一方の出力端に接続され、他端が、リード線８８’により端子装置１７ａの固定接点板２１のリード線接続端子部２１ａに接続することにより、該リード線接続端子部２１ａに接続されているリード線８８を通じてプリント基板６１上の漏電検出回路８６の他方の出力端に接続される。
【００３４】
コイル枠８０の上側鍔部には漏電テスト用スイッチを構成する接点ばね７２の一端を孔に嵌め込んで固定する固定部７３を設け、接点ばね７２の自由端と接触開離する固定接点部７４を固定部７３と反対側に設けてある。この固定接点部７４は零相変流器ＺＣＴの貫通孔６３を通ってきたリード線７８の芯線をコイル枠８０の上側部に巻回して構成される。接点ばね７２はリード線７７を端子装置１７ｂの固定接点板２１のリード線接続端子部２１ａに接続することにより、該リード線接続端子部２１ａに接続されているリード線８７を介してプリント基板６１上の漏電検出回路８６のテスト用入力端に接続される。
【００３５】
ここで漏電遮断器内の電気回路について図５により簡単に説明する。
【００３６】
駆動回路を含む漏電検出回路４７は端子装置１７ａ，１７ｂと固定接点２４との間の電路よりリード線８７，８８を介して電源が供給されて動作するようになっており、固定接点２４，可動接点２４よりなる接点部、編組線３４、端子装置１８ａ、１８ｂの主電路に漏電により不平衡電流が流れて零相変流器ＺＣＴに二次出力が発生し、そのレベルが所定値以上あると、電磁石装置６０の励磁コイル８１にリード線８８，８８’，７５を介して励磁電流を流して電磁石装置６０を駆動するようになっている。
【００３７】
漏電テスト用スイッチは一端を出力用の端子装置１７ｂと可固定接点２４との間にリード線７７を介して接点ばね７２を接続し、固定接点部７３をリード線７８を介して漏電検出回路８６に接続されており、通電中に接点ばね７２を固定接点部７４に接触させると、人的に地絡状態を作り出して零相変流器ＺＣＴから二次出力を発生させ、電磁石装置６０を駆動させることができるようになっている。
【００３８】
而してこのようにして端子装置１７ａ，１７ｂ，１８ａ，１８ｂ及び可動ばね板３０、バイメタル１０を配設するとともに、フレーム収納部３５に開閉機構部の構成部材を組み込んだフレーム４を配設し、更にプリント基板６１をプリント基板収納凹部５８に配設し、またテストスイッチを含む電磁石装置６０を収納凹部９２に配設し、内部配線とともに部材組み込みが完了したボディ１上にカバー１６を被着すれば本実施形態の漏電遮断器が完成する。尚プリント基板６１に接続されるリード線７５，７８，８７，８８は凹所２６を介して配線され、この凹所２６の開口部には被蔽カバー８５が被着される。
【００３９】
カバー１６は中央部にハンドル５を露出させる開口窓５２を設けており、ボディ１上に被着したときにハンドル５を露出させる。
【００４０】
またカバー１６の両側壁の中央部には薄肉の弾性脚片５３，５３を設けており、ボディ１にカバー１６を被着する際に、ボディ１の両側壁の外面に形成した凹平面５４、５４に沿うように脚片５３，５３を垂下させて凹平面５４に一体突設している被係止部たる係止突起５５，５５を弾性脚片５３に形成している係止部たる係止孔５６，５６に、弾性脚片５３の弾性及び係止突起５５の上端傾斜面５５ａを利用して係止させることにより、カバー１６をボディ１にワンタッチで固定できるようになっている。尚係止脚片５３の厚みと凹平面５４の奥行きとを略等しく形成しているため弾性脚片５３の外面とボディ１の外面とが面一となる。
【００４１】
カバー１６の表面部は周壁より周端を外方向に突出させて突出周端１６ａを形成し、また周壁の両端部の両側の下端より壁面に沿うように突出周端１６ａ側へ延長した弾性係止体５７を設け、これら突出周端１６ａと弾性係止体５７とで本実施形態の漏電遮断器をパネルの取付孔（図示せず）に表面側から嵌め込むだけで取り付けることができるようなっている。
【００４２】
つまりボディ１側からパネルの取付孔にパネル表面側から押し込むと、弾性係止体５７が撓んで取付孔をパネル裏面側へ抜け出て、突出周端１６ａと弾性係止体５７の先端部とでパネルの取付孔周辺を挟み、パネルの取付孔に漏電遮断器を固定することができるのである。
【００４３】
上記のテストスイッチの接点ばね７２の自由端に対向するカバー１６の位置には内外に貫通する孔４８を設けてあり、この孔４８に接点ばね７２を押し下げるための絶縁材料からなる押釦４９を上下動自在に収納している。尚押釦４９の下端部には孔４８に押し込むためと接点ばね７２の細先部を係入するための割溝５１を形成し、また押し込み後に抜け止めを図るための係止突起５０を下端部周面に形成してある。
【００４４】
更にカバー１６の開口窓５２の両側表面には露出するハンドル５の高さよりやや低い高さのリブ７９を一体に突設してある。
【００４５】
次に本発明の漏電漏電遮断器の動作を図６乃至図１７を用いて説明する。
【００４６】
図６〜図８はオフ状態を示しており、この状態では、ハンドル５は図７に示すようにねじりばね４５の付勢によりハンドルピン１４を中心として図において反時計方向の回動力が与えられて図示するオフ状態位置にある。このときリンク６の連結ピン４１は図７において長孔１５の左端へ移動し、作動板７を左方へ移動させている。また電磁石装置６１のプランジャー６１がコイルばね８３により図７において左方向へ押し動かされるため、これによって係合片８ｃが左方向へ押されるため、引外し板８はピン１３を中心として時計方向に回動力が与えられている状態にある。
【００４７】
そしてこの状態では引外し板８のラッチ片８ｂ側の係止段部８ｅから作動板７の一端７ａが外れており、駆動体９は図８に示すように両側の可動ばね板３０，３０により上方へ押し上げられた状態にある。そして可動ばね板３０，３０の可動接点１２，１２は対向する固定接点２４，２４から開離して開極（オフ）状態にある。
【００４８】
次に図６〜図８のオフ状態において、ハンドル５の前方に突出している操作面を押すと、ハンドル５はねじりばね４５のばね付勢に抗してハンドルピン１４を中心として時計方向に回動し、この回動に連動してリンク６は連結ピン４１を回動中心としながら反時計方向に回動しながら、図７において連結ピン４１を長孔１５の右方向へ移動させる。同時に連結ピン４１は作動板７を右方向へ移動させる。この作動板７の移動により作動板７の一端７ａが引外し板８のラッチ片８ｂ側の係止段部８ｅに当たり、更にハンドル５の上記操作面を下向きに押すと、作動板７は他端７ｂにより駆動体９をばね付勢に抗して右方向へ押し動かす。駆動体９はこの移動により両端部で可動ばね板３０，３０の自由端をばね付勢に抗して押し、可動ばね板３０，３０の可動接点１２、１２がやがて固定接点２４、２４に接触し、更にハンドル５の脚片１１が作動板７の開口７０に臨んでリンク６と脚片１１を連結する連結ピン８９が長孔１５の位置を図１０に示すように越えるまでハンドル５を操作すると、可動ばね板３０，３０が駆動体９の押圧によって撓んで、可動接点１２，１２と固定接点２４，２４との間に接点圧力を発生させる。また可動ばね板３０，３０のばね力と、ハンドル５に回動力を付勢するねじりばね４５の復帰力と、リンク６と、引外し板８と、駆動体９と、作動板７と、ハンドル５の相互の関係により作動板７の一端７ａが引外し板８のラッチ絵片８ｂ側の係止段部８ｅに係止した状態で均衡が保たれることになる。この状態が図９〜図１１に示すオン状態である。このオン状態ではピン１３の枢支点から離れた引外し板８の上面がハンドルピン１４の下端に当接して引外し板８の回動が規制されるため、引外し板８が常に同一位置で止まることになり、引き外し特性に影響を及ぼし難いようになっている。
【００４９】
次にこのオン状態から手動操作によりオフ状態に戻す場合には、ハンドル５の前方に突出している操作面を押し操作すれば良い。
【００５０】
つまりこの押し下げによりハンドル５はハンドルピン１４を中心として図１０において反時計方向に回動し、脚片１１の下端に貫挿してある連結ピン８９の移動に連動してリンク６が移動し、リンク６に貫挿している連結ピン４１は長孔１５を左方向へ移動し、作動板７を左方へ移動させる。この移動によって上記の均衡状態が崩れて上記係止段部８ｅと、作動板７の一端７ａとの係止状態が解かれ、可動ばね板３０．３０はそのばね力により駆動体９を押して自由端を図１１に於いて左方へ移動させ、可動接点１２，１２を固定接点２４，２４より開離する。一方ねじりばね４５の復帰力によりハンドル５は一気に回動し、この回動により連結ピン８９は上方へ、また連結ピン４１は長孔１５の左端へ夫々移動することになり、図６〜図８に示すオフ状態に戻る。
【００５１】
ところで図９〜図１１に示すオン状態において、当該漏電遮断器を介して電源に接続されている負荷回路に過大な電流が流れると、端子装置１８ａ、編組線３４、バイメタル１０、可動ばね板３０、可動接点１２、固定接点２４，端子装置１７ａの電路には過大な電流が流れてバイメタル１０が自己発熱する。この発熱によりバイメタル１０はその自由端を下向き（図９では右向き）に移動させる方向に変位して、該自由端と平行配置している引外し板８の応動片８ｆを駆動軸９２により図１２において右方向に押すことになる。引外し板８は応動片８ｆに押圧力を受けると、ピン１３を中心として反時計方向に回動することになる。この回動により作動板７の一端７ａと係止段部８ｅとの係止が外れることになる。これにより可動ばね板３０，３０のばね力により駆動体９を介して作動板７の他端７ｂに左向きの力が働き、作動板７は連結ピン４１を中心として時計方向に回動することになり、また可動ばね板３０の自由端の可動接点１２，１２が固定接点２４，２４より開離して電流を遮断する。
【００５２】
そしてねじりばね４５の復帰力によりハンドル５はハンドルピン１４を中心として反時計方向に回動して、手動によるオフ操作時と同様に図１３に示すようにオフ状態に復帰することなる。
【００５３】
一方バイメタル１０は電流が流れなくなるため、元の状態に戻って引外し板８の応動片８ｆの押圧を解除する。
【００５４】
図１２〜図１４は過電流が流れたときのトリップ動作状態を示す。
【００５５】
一方オン状態において、地絡事故が起きて漏電すると、漏電検出回路８６の働きにより電磁石装置６０が駆動され、そのプランジャー６７が図１０において右側に引き込まれることなる。これにより、引外し板８の係合片８ｃを右方向に引っ張り、その結果引外し板８はピン１３を中心として図において反時計方向に回動し、図１６に示すようにラッチ片８ｂ側の係止段部８ｅと作動板７の一端７ａとの係合が外れ、その結果上述の平衡状態が崩れ、ハンドル５がねじりばね４５のばね力により反時計方向に回動して図１６に示すようにオフ位置に戻り、これに連動してリンク６に貫挿している連結ピン４１が長孔１５の左端へ移動して作動板７も移動する。これと同時に可動ばね板３０のばね力により駆動体９も図において左方向に移動することになり、可動接点１２が図１５、図１７に示すように固定接点２４より開離して電路を遮断する。
【００５６】
このように本発明の漏電遮断器ではハンドル５の手動操作により波動スイッチと同様な操作感覚でオンオフがき、また負荷回路に過大な電流が流れた場合にはバイメタル１０の働きにより開閉機構部がトリップ動作し、該トリップ動作により接点部を強制的に開極して電流を遮断する。また漏電発生時にも同様にトリップ動作して接点部を強制的に開極して電流を遮断する。
【００５７】
【発明の効果】
請求項１の発明は、ボディの底面に取着される固定片及びこの固定片の両側から前記ボディの上側に延出する一対の側片を有したフレームと、このフレームの両側片に回動自在に支持されるハンドルと、前記フレームの側片間に配設するとともに前記ハンドルにリンクを介して略中央部を連結し、前記ハンドルの回動操作により駆動される作動板と、前記フレームに回動自在に支持され、前記作動板の一端側を係止する方向の力を蓄積した状態で前記作動板の一端側を係止する前記引外し板と、前記作動板の一端側が前記引外し板に係止されている状態で前記ハンドルを回動操作したときに前記作動板の他端側に押圧される駆動体と、前記フレームの両側に配設され、駆動体に押圧されて開極する接点部と、引外し板の一部に対向配置されて前記接点部に過電流が流れたときに前記引外し板を回動駆動して前記作動板との係止状態を解除し、前記接点部を強制開極するバイメタルと、を備えた回路遮断器において、前記ハンドルに、前記フレームの両側片間で前記ボディの底面方向に延出して前記リンクの一端側が枢着される脚片を形成し、前記作動板の中央部に、前記リンクの他端側を枢着して前記接点部の開極時に前記リンクの他端側とともに前記ハンドルの脚片が入り込む開口を形成し、前記バイメタル及び前記引外し板の一部を、前記フレームの側片よりも外側で前記ボディの底面に対して傾斜させて配設したので、ハンドルの回動時に作動板が邪魔にならず、そのためハンドルと作動板との（高さ方向の）間隔を狭くすることができ、またバイメタル及び引外し板の一部をボディの底面に対して傾斜させて配設しているので、バイメタル及び引外し板の先端（上端）の高さを低くすることができ、その結果コンパクト化が図れるという効果がある。
【００５８】
請求項２の発明は、請求項１の発明において、前記引外し板の中央部を、フレームの一対の側片の外側に配置して該一対の側片にピンを介して回動自在に枢支し、この中央部から一方側に作動板を係止するとともに中央部から他方側の少なくとも一部をバイメタルに対して平行に配置したので、従来の回路遮断器では、引外し板が作動板の一端側のフレーム端面よりも外側、かつボディの底面に対して直交方向に配設されることにより、引外し板を配設するスペースが大きくなっていたのを、スペースを小さく（特にボディの入出力端子装置方向）してコンパクト化が図れるという効果がある。
【００５９】
請求項３の発明は、請求項２の発明において、前記ハンドルを前記ハンドルピンを介して前記フレームの一対の側片間に枢支し、前記引外し板の一方側に作動板の一端側を係止するとともに前記引外し板の枢支点よりも他方側を前記ハンドルピンに当接させて前記引外し板の回転を規制したので、常に引外し板が同一位置で止まることとなり、 引外し特性に影響を及ぼしにくいものとなるという効果がある。
【００６３】
請求項４の発明は、請求項１乃至３の何れかの発明において、前記バイメタルを前記引外し板よりも上側に配置し、前記バイメタルを下側に変位させるようにしたので、バイメタルが下方向（ボディ底面側）に変位し、バイメタルの変位量を見越して高さ方向を高くする必要がなく、更にコンパクト化が図れるという効果がある。
【図面の簡単な説明】
【図１】本発明の実施形態の縮小分解斜視図である。
【図２】同上の正面図である。
【図３】同上のカバーを外した状態の正面図である。
【図４】同上の斜視図である。
【図５】同上の電気回路図である。
【図６】同上のオフ状態時の図２に於けるＡ−Ａ断面図である。
【図７】同上のオフ状態時の図２に於けるＢ−Ｂ断面図である。
【図８】同上のオフ状態時の図２に於けるＣ−Ｃ断面図である。
【図９】同上のオン状態時の図２に於けるＡ−Ａ断面図である。
【図１０】同上のオン状態時の図２に於けるＢ−Ｂ断面図である。
【図１１】同上のオン状態時の図２に於けるＣ−Ｃ断面図である。
【図１２】同上の過電流が流れた時のトリップ状態時の図２に於けるＡ−Ａ断面図である。
【図１３】同上の過電流が流れた時のトリップ状態時の図２に於けるＢ−Ｂ断面図である。
【図１４】同上の過電流が流れた時のトリップ状態時の図２に於けるＣ−Ｃ断面図である。
【図１５】同上の漏電発生時の時のトリップ状態時の図２に於けるＡ−Ａ断面図である。
【図１６】同上の漏電発生時のトリップ状態時の図２に於けるＢ−Ｂ断面図である。
【図１７】同上の漏電発生時のトリップ状態時の図２に於けるＣ−Ｃ断面図である。
【図１８】従来例の回路遮断器の構成図である。
【符号の説明】
１    ボディ
３    側板
４    フレーム
５    ハンドル
６    リンク
７    作動板
８    引外し板
１０  バイメタル
１１  脚片
【図１】
0004224162.tif 000002
【図２】
0004224162.tif 000003
【図３】
0004224162.tif 000004
【図４】
0004224162.tif 000005
【図５】
0004224162.tif 000006
【図６】
0004224162.tif 000007
【図７】
0004224162.tif 000008
【図８】
0004224162.tif 000009
【図９】
0004224162.tif 000010
【図１０】
0004224162.tif 000011
【図１１】
0004224162.tif 000012
【図１２】
0004224162.tif 000013
【図１３】
0004224162.tif 000014
【図１４】
0004224162.tif 000015
【図１５】
0004224162.tif 000016
【図１６】
0004224162.tif 000017
【図１７】
0004224162.tif 000018
【図１８】
0004224162.tif 000019